(57)【要約】      （修正有）【課題】飽きのこない乗用玩具であって、各人の所有欲を満足させ、製造に当たり森林保護に配慮する乗用玩具を提供する。【解決手段】胴部１１と前脚部１２と後脚部１８とそり部２５を有する本体部と、頭部４０からなる乗用玩具１０であって、頭部は本体部と取り換え可能に接続する。【選択図】図１
0003179413.tif 000002
【実用新案登録請求の範囲】
【請求項１】
胴部と前脚部と後脚部とそり部を有する本体部と頭部からなる乗用玩具であって、前記頭部は前記本体部と取り換え可能に接続することを特徴とする乗用玩具
【請求項２】
前脚部は、左前脚と右前脚からなり前記前脚部の上方に把持部を有し、かつ下方に足置き部を有し、後脚部は左後脚と右後脚からなり、そり部は彎曲しかつ左そり部材と右そり部材からなり、前記左前脚と前記左後脚に前連結部および後連結部を介して左そり部材を接続し、かつ、前記右前脚と前記右後脚に前連結部および後連結部を介して右そり部材を接続し、頭部は頭部本体を前記左前脚と右前脚の間に配置し、頭部接続体において本体部における胴部と取り換え可能に接続することを特徴とする請求項１記載の乗用玩具
【請求項３】
乗用玩具はヒノキの間伐材を使用することを特徴とする請求項１または請求項２記載の乗用玩具
【考案の詳細な説明】
【技術分野】
【０００１】
本考案は、乗用玩具に関するものである。
【背景技術】
【０００２】
従来の乗用玩具である木馬は、本体に湾曲したそり状のものを取り付け、使用者がその木馬本体にまたがり揺動させて遊ぶものである。一般に、木馬と云うものであるから木製であり馬の形を模している。このような木馬は大型玩具に属するものであり、一つの家庭に複数台所有することはほとんどない。従って兄弟が多い家庭であっても１台の木馬を兄弟間で共有する場合がほとんどであり、子供が誕生するごとに買い足す場合も少ない。このように、一つの家庭に保有している１台の木馬を兄弟が共同で使用し続けることから、飽きが生じる場合があり、そのような状態になると無用の長物になりかねない。とくに単一形状の木馬を兄弟間で使用することから、兄弟各人が自己の所有しているものとの認識が薄く自己所有欲が満たされない結果興味が薄れることにもなる。
【０００３】
このようなものを解決するものは見当たらないが、実開平５−１８９号公報においては、乗用玩具である木馬を、揺動させると木馬自身が前進するものが記載されている。これは、特殊な動きで使用者に飽きさせないようすることができるものである。しかしながら、各家庭に１台しか置けないという不具合を解消するものではなく、木馬自身が前進するように動いたとしても、次第に飽きが生じて無用の長物になる可能性も排除できない。
【０００４】
【特許文献１】実開平５−１８９号公報
【考案の開示】
【考案が解決しようとする課題】
【０００５】
本考案の課題は、飽きのこない乗用玩具を提供することにある。また、兄弟各人の所有欲を満足させることを目的とする。さらに、乗用玩具の製造に当たり環境に配慮し我が国の森林保護に配慮することを目的とする。
【課題を解決するための手段】
【０００６】
前記の課題を解決するため、本考案は、胴部と前脚部と後脚部とそり部を有する本体部と頭部からなる乗用玩具であって、前記頭部は前記本体部と取り換え可能に接続するという手段を講じたものである。
【０００７】
頭部のみを取り換え可能としたことで、馬以外の異なる動物を模した乗用玩具に変化させることができ、飽きることが無い。乗用玩具のうち、とくに馬の形態を模したものは木馬と呼ばれるが、それは馬の形態をデフォルメしたものであり、四肢を有する形態であってその四肢に、湾曲したそり状のものが配置されていて、ロッキングチェアのように揺動するものである。このようにデフォルメしているものであるから四肢を有する動物であれば、頭部のみを取り換えることによって馬以外の異なる動物を模した乗用玩具とすることができる。
【０００８】
前記の課題を解決するため、本考案における前脚部は、左前脚と右前脚からなり前記前脚部の上方に把持部を有し、かつ下方に足置き部を有し、後脚部は左後脚と右後脚からなり、そり部は彎曲しかつ左そり部材と右そり部材からなり、前記左前脚と前記左後脚に前連結部および後連結部を介して左そり部材を接続し、かつ、前記右前脚と前記右後脚に前連結部および後連結部を介して右そり部材を接続し、頭部は頭部本体を前記左前脚と右前脚の間に配置し、頭部接続体において本体部における胴部と取り換え可能に接続するという手段を講じたものである。
【０００９】
上記のように前脚部は、左前脚と右前脚からなり、それらの上方に把持部を有し、かつ下方に足置き部を有している。足置き部については従来と変更はないが、把持部については、頭部に配置する必要がないため、頭部のみを取り換え可能にすることができる。従って、いたずらに製造コストが上昇することが無い。また、後脚部は左後脚と右後脚と２つの部材で構成され、胴部とそり部に固定されているので、耐久性に富み、子供が乱暴に取り扱っても壊れにくいものである。
【００１０】
また、左前脚と左後脚に前連結部および後連結部を介して左そり部材を接続し、かつ、右前脚と右後脚に前連結部および後連結部を介して右そり部材が接続されているので、前連結部と後連結部の長さを一致させることで、左前脚と右前脚の間隔、左後脚と右後脚の間隔を一致させる必要が無く左そり部材と右そり部材を配置することができる。
【００１１】
このように頭部を左前脚と右前脚の間に配置するためにそれらの間隔を狭くすることができるので、頭部を左前脚と右前脚の２つの部材の間に配置し、かつ、頭部接続体と本体における胴部を、取り換え可能に接続したものである。従って、頭部を左前脚と右前脚と２つの間にほぼ隙間なく配置することで、頭部に対して右左方向に力が加わった場合にその力に耐えられるとともに、接続体において胴部に取り換え可能に配置されているために、確実に頭部を固定できるとともに、簡単に取り換えることができる。
【００１２】
すなわち、頭部における接続体と胴部は、ボルトとナットで取り換え可能に接続されており、簡単に頭部を取り換えることができる。頭部は馬の形態を模したもののほかに、象の頭部、他の動物の頭部を模したものを準備することができる。これらは、乗用玩具の販売と同時に販売することもできる。また、後で必要に応じて販売することもできる。特に第１子が誕生した場合に、例えば馬の頭部を有する乗用玩具、すなわち木馬を購入し、第２子が誕生したときに例えば象の頭部のみを購入すれば、第１子および第２子の各人にそれぞれ乗用玩具そのものを購入する必要が無いと同時に、第１子には例えば馬の乗用玩具を与え、第２子には象の乗用玩具を与えることができるので、第１子および第２子それぞれの所有欲を満足させることができる。さらに、第２子が成長しその乗用玩具を必要としないときまで使用することができる。よって、長年にわたって乗用玩具を活用することができ、従って無用の長物となりにくいものである。尚、第３子以降が誕生した場合であっても同様である。また、馬、象、に限られず任意の動物における頭部を模しても好ましい。
【００１３】
前記の課題を解決するため、本考案の乗用玩具はヒノキの間伐材を使用するという手段を講じたものである。このようにヒノキを使用することで使用者である子供に木のぬくもりを伝えることより情操教育にも役立ちさらに国産のヒノキの間伐材を使用することで森林保護に役立つものである。
【００１４】
本考案は以上のように構成されかつ作用するものであり、飽きのこない乗用玩具を提供することができる。また、兄弟等各人の所有欲を満足させることができる。さらに乗用玩具の製造に当たり環境に配慮し我が国の森林保護に配慮することができる。
【考案を実施するための最良の形態】
【００１５】
以下、図示の実施形態を参照して本考案をより詳細に説明する。図１は、乗用玩具の斜視図である。図２は、乗用玩具における頭部と胴部の取り付け拡大斜視図である。図３は、図１のＡ−Ａ線断面図である。図４は、図３のＢ−Ｂ線断面図である。
【００１６】
乗用玩具１０は、主として胴部１１、前脚部１２、後脚部１８、そり部２５と頭部４０で構成されている。前脚部１２は、左前脚１３と右前脚１４で構成され、その上方には把持部１５がその左前脚上位置孔１３ａと右前脚上位置孔１４ａを貫通して配置されている。また、胴部１１の左溝部１１ａに左前脚１３が嵌合され、胴部１１の右溝部１１ｂに右前脚１４が嵌合されている。ここで、胴部１１から頭部４０に向かう方向を前方とし、胴部１１から頭部４０に向かって左側を左とする。
【００１７】
前記胴部１１の左溝部１１ａに左前脚１３が嵌合され、胴部１１の右溝部１１ｂに右前脚１４が嵌合されている部分の下方において、足置き部１６が、左前脚１３における左前脚下位孔１３ｂと右前脚１４における右前脚下位孔１４ｂを貫通して配置されている。足置き部１５は、丸棒が好ましいもののこの形状に限られない。
【００１８】
前記足置き部１６の下方には、前連結部１７が、左前脚１３における左前脚最下位孔１３ｃと右前脚１４における右前脚最下位孔１４ｃを貫通して配置されている。後脚部１８は、左後脚１９と右後脚２０で構成され、その上部は胴部１１にそれぞれ固定されている。固定方法は、接着剤あるいは、くぎ、ボルトなどの公知の手段で固定することができる。また左後脚１９と右後脚２０の下部は、後連結部２１で連結され、左後脚下方孔１９ａと右後脚下方孔２０ａを貫通している。
【００１９】
そり部２５は、左そり部材２６と右そり２７部材で構成され、左そり部材２６は前方で、前連結部１６の左端部で前記左そり部材２６と接続され、左そり部材２６の後方は、後連結部２０の左端部で前記左そり部材２６と接続される。同様に、右そり２７部材の前方で、前連結部１７の右端部で前記右そり部材２７と接続され、右そり部材２７の後方は、後連結部２１の右端部で前記右そり部材２７と接続される。従って、左前脚１３と左後脚１９に前連結部１７および後連結部２１を介して左そり部材２６を接続し、かつ、右前脚１４と右後脚２０に前連結部１７および後連結部２１を介して右そり部材２７を接続されているので、前連結部１７と後連結部２１の長さを一致させることで、前記左そり部材２６と前記右そり２７部材はほぼ平行に配置される。従って左前脚１３と右前脚１４の間隔と左後脚１９と右後脚２０の間隔を一致させる必要が無く左そり部材２６と右そり部材２７を配置することができる。
【００２０】
頭部４０は、動物の頭部を模した頭部本体４１とその頭部本体４１を支えかつ胴部１１と接続するための頭部接続体４２とで構成されている。頭部４０は馬の頭部の形状を模したものであって、象の頭部を模した頭部５０は、頭部本体５１とその頭部本体５１を支えかつ胴部１１と接続するための頭部接続体５２とで構成されている。同様に、他の動物を模した頭部６０も、頭部本体６１とその頭部本体６１を支えかつ胴部１１と接続するための頭部接続体６２とで構成されている。
【００２１】
頭部４０における頭部本体４１とその頭部本体４１を支えかつ胴部１１と接続するための頭部接続体４２は、前脚部１２における、左前脚１３と右前脚１４の間に頭部本体４１を乗用玩具１０の後方から差し入れた状態において、頭部本体４１とほぼ直交した状態の頭部接続体４２を胴部１１に固定する。固定手段は実施例ではボルト７０とナット８０により、取り替え可能に固定することができる。（図３参照）
【００２２】
このように頭部４０は、左前脚１３と右前脚１４の間に頭部本体４１を乗用玩具１０の後方から差し入れた状態において、胴部１１と前記頭部４０が取りかえ可能に接続されているので、確実に固定されるとともに、ボルト７０とナット８０を緩めれば簡単に取りかえることができる。従って、異なる動物を模した頭部５０、あるいは同６０についても同様であり、各人がそれぞれの頭部を所有することによって各人がその所有欲を満たすことができる。ボルト７０は、その頭部に、マイナスドライバーに対応したマイナス溝にあるいはプラスドライバーに対応したプラス溝に加工することもできるが、硬貨をドライバー代わりに使用するために、その溝を硬貨の厚さに加工することも望ましい。
【００２３】
左そり部材２６と右そり部材２７はともに滑らかに湾曲しているので、乗用玩具１０に乗って揺動動作を楽しむことができることは従来の木馬である乗用玩具と変わるところが無い。また、乗用玩具１０は、頭部が馬の頭部を模している場合は木馬と云え、主として木製であり、特にヒノキの間伐材を使用することができる。このようにヒノキの間伐材を使用することにより山林の保護も図ることができる。また地場の木材を利用することで地域の活性化を図ることができる。
【図面の簡単な説明】
【００２４】
【図１】乗用玩具の斜視図
【図２】乗用玩具における頭部と胴部の取り付け拡大斜視図
【図３】図１のＡ−Ａ線断面図
【図４】図３のＢ−Ｂ線断面図
【符号の説明】
【００２５】
１０  乗用玩具
１１  胴部
１２  前脚部
１３  左前脚
１４  右前脚
１５  把持部
１６  足置き部
１７  前連結部
１８  後脚部
１９  左後脚
２０  右後脚
２１  後連結部
２５  そり部
４０  頭部
【図１】
0003179413.tif 000003
【図２】
0003179413.tif 000004
【図３】
0003179413.tif 000005
【図４】
0003179413.tif 000006